(57)【要約】【課題】切り花等の園芸植物の鮮度を維持しながら輸送することができ、しかも、輸送中及び転倒時の水漏れを抑制することのできる鮮度保持容器を提供する。【解決手段】本鮮度保持容器１は、園芸植物の茎部分を支持する開口部３を有する支持体４と、該支持体４の外周に嵌合され、内部に前記茎部分を収容すると共に底部に鮮度維持のための水が充填される容器本体５とから構成され、支持体４は、開口部３を有する水平壁部７と、該水平壁部７の外周端全域から断面逆Ｕ字状で立設する立設壁部８とを備え、水平壁部７には開口部３に向かって、複数のスリット１８が放射状に形成される。これにより、園芸植物の鮮度を維持しながら輸送することができ、しかも、輸送中及び転倒時の水漏れを抑制することのできる。【選択図】図５
0003167701.tif 000002
【実用新案登録請求の範囲】
【請求項１】
輸送可能な外箱内に収容され、園芸植物の茎部分を収容してその鮮度を保持する鮮度保持容器であって、
該鮮度保持容器は、園芸植物の茎部分を支持する開口部を有する支持体と、該支持体の外周に嵌合され、内部に前記茎部分を収容すると共に底部に鮮度維持のための水が充填される容器本体とから構成され、
前記支持体は、前記開口部を有する水平壁部と、該水平壁部の外周端全域から断面逆Ｕ字状で立設する立設壁部とを備え、
前記水平壁部には前記開口部に向かって、複数のスリットが放射状に形成されることを特徴とする鮮度保持容器。
【請求項２】
前記水平壁部は、前記立設壁部を構成する外側壁部の下端よりも下方に突出していることを特徴とする請求項１に記載の鮮度保持容器。
【請求項３】
前記立設壁部を構成する内側壁部は、上端から下方に向かって鉛直方向に対して内側に傾斜していることを特徴とする請求項１または２に記載の鮮度保持容器。
【請求項４】
前記容器本体の底壁部の略中央には、水溜め用凹部が形成されることを特徴とする請求項１〜３のいずれかに記載の鮮度保持容器。
【請求項５】
前記立設壁部は平面視略矩形状を呈することを特徴とする請求項１〜４のいずれかに記載の鮮度保持容器。
【請求項６】
前記支持体及び前記容器本体は、合成樹脂製シートにより成形されることを特徴とする請求項１〜５のいずれかに記載の鮮度保持容器。
【考案の詳細な説明】
【技術分野】
【０００１】
本考案は、切り花等の園芸植物を、その鮮度を保持しつつ輸送できる鮮度保持容器に関するものである。
【背景技術】
【０００２】
従来の鮮度保持容器は、切り花を差し入れる開口部を有する支持体と、該支持体の外周に嵌合され、切り花の茎部分を収容すると共にその鮮度保持のための水が充填される容器本体とから構成される。そして、輸送時には、この鮮度保持容器に切り花を収容すると共に段ボール等の外箱内に収納して輸送していた。
しかしながら、この従来の鮮度保持容器では、輸送時等、外箱が横倒しになった場合、容器本体内の水が支持体の開口部から外部に流出する虞があった。
【０００３】
この問題に対処するために提案された従来技術として特許文献１には、少なくとも一方が可撓性材で形成された上面開口の容器本体と、その開口周縁に嵌合して着脱自在となった蓋とを有し、その嵌合状態は、容器本体内に注入した水がその嵌合部からは漏れ出ない程度の気密性を保つようになっており、その蓋には容器本体内に切り花の茎の束を挿入するための開口が設けられており、その開口周縁に容器内に向かう筒が連設されており、その筒の容器本体内での端面と容器本体底面との間には隙間が存在しており、水を注いだ容器本体内に前記開口から切り花の茎を挿入すると、茎が前記筒によって支持され、容器本体内の水に浸される切り花の輸送容器が開示されている。
【先行技術文献】
【特許文献】
【０００４】
【特許文献１】特開２００４−１０５４４８号公報
【考案の概要】
【考案が解決しようとする課題】
【０００５】
しかしながら、特許文献１の発明に係る輸送容器では、静かに横倒しにされる場合には、容器内の水は円筒の外面と容器の内面との間に溜まり、容器外に流れ出ることは少ないが、特に、円筒の開口における最も小径な部位よりも切り花の茎部分の全体径が小さい場合には、輸送中振動で水跳ねして容器外に流れ出たり、また、輸送容器が急に転倒した場合などには容器内の水が円筒の開口（円筒の内周面と茎部分との間の隙間）から容器外に流れ出る虞がある。
【０００６】
本考案は、かかる点に鑑みてなされたものであり、切り花等の園芸植物を鮮度を維持しながら輸送することができ、しかも、輸送中及び転倒時の水漏れを抑制することのできる鮮度保持容器を提供することを目的とする。
【課題を解決するための手段】
【０００７】
上記課題を解決するための手段として、請求項１に記載した考案は、輸送可能な外箱内に収容され、園芸植物の茎部分を収容してその鮮度を保持する鮮度保持容器であって、該鮮度保持容器は、園芸植物の茎部分を支持する開口部を有する支持体と、該支持体の外周に嵌合され、内部に前記茎部分を収容すると共に底部に鮮度維持のための水が充填される容器本体とから構成され、前記支持体は、前記開口部を有する水平壁部と、該水平壁部の外周端全域から断面逆Ｕ字状で立設する立設壁部とを備え、前記水平壁部には前記開口部に向かって、複数のスリットが放射状に形成されることを特徴とするものである。
請求項１の考案では、容器本体内に所定量の水を充填した後、切り花等の園芸植物を支持体の開口部に差し入れる場合には、水平壁部に設けた各スリット間の各折曲片を下方に折り曲げるようにして差し入れるようにする。この結果、各折曲片からなる水平壁部により輸送中における容器本体内の水の飛び跳ねを抑制することができ、また、転倒時には、容器本体内の大半の水は立設壁部で囲まれる空間内に流れ込むので、支持体の開口部から外部への水漏れを抑制することができる。また、複数のスリットが形成された水平壁部は弾力性（クッション性）があるために切り花等の茎部分への損傷を抑制することができ、しかも、輸送中の園芸植物の揺れを抑制することができる。さらに、差し入れる切り花の茎部分の全体径を開口部の径よりも大きく水平壁部の径よりも小さく設定すれば上述した効果を奏することができるので、切り花等の茎部分の全体径を特に考慮する必要もない。
なお、前記鮮度維持のための水は切花栄養剤を含む水でもよい。
【０００８】
請求項２に記載した考案は、請求項１に記載した考案において、前記水平壁部は、前記立設壁部を構成する外側壁部の下端よりも下方に突出していることを特徴とするものである。
請求項３に記載した考案は、請求項１または２に記載した考案において、前記立設壁部を構成する内側壁部は、上端から下方に向かって鉛直方向に対して内側に傾斜していることを特徴とするものである。
請求項２及び３の考案では、立設壁部を構成する内側壁部と外側壁部と上部壁部とで囲まれた空間を最大限大きく設定することができ、転倒時等はこの空間に容器本体内の大半の水が流れ込むので外部への水漏れをさらに抑制することができる。
【０００９】
請求項４に記載した考案は、請求項１〜３のいずれかに記載した考案において、前記容器本体の底壁部の略中央には、水溜め用凹部が形成されることを特徴とするものである。
請求項４の考案では、切り花等の園芸植物の茎部分は、水溜め用凹部内に溜まっている水に浸漬されるので、容器本体内に充填する水の量の必要最低限に抑えることができる。
【００１０】
請求項５に記載した考案は、請求項１〜４のいずれかに記載した考案において、前記立設壁部は平面視略矩形状を呈することを特徴とするものである。
請求項５の考案では、転倒方向に関係なく、外部への水漏れを抑制することができる。
【００１１】
請求項６に記載した考案は、請求項１〜５のいずれかに記載した考案において、前記支持体及び前記容器本体は、合成樹脂製シートにより成形されることを特徴とするものである。
請求項６の考案では、従来使用していた柔軟性を有する袋状体よりも組み立てが早く、取り扱いが良くなる。
【考案の効果】
【００１２】
本考案によれば、特に、輸送中及び転倒時の水漏れを抑制することができるので、従来の鮮度保持容器よりも全高を大幅に低く形成することができ、材料費等のコストを大幅に削減することができる。
【図面の簡単な説明】
【００１３】
【図１】図１は、本考案の実施形態に係る鮮度保持容器の支持体を示し、（ａ）は平面図で、（ｂ）は断面図である。
【図２】図２は、支持体の斜視図である。
【図３】図３は、本考案の実施形態に係る鮮度保持容器の容器本体を示し、（ａ）は平面図で、（ｂ）は断面図である。
【図４】図４は、容器本体の斜視図である。
【図５】図５は、本考案の実施形態に係る鮮度保持容器の斜視図である。
【図６】図６は、本考案の実施形態に係る鮮度保持容器にて切り花等の園芸植物が保持された状態を示す斜視図である。
【図７】図７は、本考案の実施形態に係る鮮度保持容器に切り花等の園芸植物が差し入れられた状態で、鮮度保持容器が転倒した状態を示す斜視図である。
【考案を実施するための形態】
【００１４】
以下、本考案を実施するための形態を図１〜図７に基づいて詳細に説明する。
本考案の実施形態に係る鮮度保持容器１は、図１〜図５に示すように、園芸植物、例えば切り花２を鮮度を保持しながら輸送することができ、しかも、輸送中及び転倒時の水漏れを抑制できるものであり、切り花２の茎部分を支持する開口部３を有する支持体４と、該支持体４の外周に嵌合され、内部に前記茎部分を収容すると共に底部に鮮度維持のための水が充填される容器本体５とから構成される。これら支持体４及び容器本体５は合成樹脂製シートにより成形される。
【００１５】
支持体４は、図１及び図２に示すように、中央部に開口部３を有する平面視略円形状の水平壁部７と、該水平壁部７の外周端全域から上方に立設される断面逆Ｕ字状の立設壁部８と、該立設壁部８を構成する外側壁部１０の下端全域から外方に略水平方向に延設される嵌合壁部１４とからなる。
【００１６】
水平壁部７は平面視略円形状に形成される。該水平壁部７には、その中央部に略円形状の開口部３が形成され、該開口部３に向かうように複数のスリット１８が放射状に形成される。この結果、水平壁部７には各スリット１８間に各折曲片１９が形成される。なお、スリット１８は４個〜２４個の範囲内（本実施の形態では１６個）で形成される。
【００１７】
立設壁部８は、内側壁部９と、外側壁部１０と、内側壁部９及び外側壁部１０の上端を接続する上部壁部１１とからなる断面逆Ｕ字状に形成され、平面視略矩形状を呈する。該平面視略矩形状を呈する立設壁部８の４箇所の上部壁部１１はその幅が全て同じである。図１（ｂ）から解るように、内側壁部９は上端から下方に向かって鉛直方向に対して内方に傾斜して延び、一方、外側壁部１０は上端から下方に向かって鉛直方向に対して外方に傾斜して延びる。また、内側壁部９の下端（水平壁部７の位置）は外側壁部１０の下端よりも下方に突出している。また、立設壁部８の平面視における４隅には、上部壁部１１の上面から壁部全体を所定範囲で上方に突設させた平面視略三角形状の凸部１２がそれぞれ形成される。なお、内側壁部９及び外側壁部１０には、それぞれの壁部全体を互いに近接する方向に突設させると共に上下方向に延びる縦長凸部１３が周方向に間隔を置いて複数形成される。これら縦長凸部１３は、内側壁部９及び外側壁部１０の強度を上げるためのものである。
【００１８】
嵌合壁部１４は、立設壁部８の外側壁部１０の下端全域から外方に略水平方向に延び、平面視略矩形状を呈する。該嵌合壁部１４には、壁部全体を所定幅で上方に突設するようにして設けた環状の嵌合凹部１７が形成される。
【００１９】
容器本体５は、図３及び図４に示すように、平面視略矩形状の底壁部２０と、該底壁部２０の外周端全域から上方に立設される側方壁部２１と、該側方壁部２１の上端全域から外方に略水平方向に延設される嵌合壁部２２とから構成される。
【００２０】
底壁部２０の略中央には、壁部全体を所定幅上方に突設して設けた円環状凸部２５が形成され、該円環状凸部２５の内側に壁部全体を下方に突設するようにして設けた平面視略円形状の水溜め用凹部２６が形成される。また、円環状凸部２５の周りには、壁部全体を所定範囲で下方に突設するようにして設けた平面視略矩形状の凸状脚部２７が形成され、該凸状脚部２７は周方向に間隔をあけて４箇所形成される。なお、図３（ｂ）から解るように、該凸状脚部２７の突出面と水溜め用凹部２６により下方に突出した面とは同一平面上に位置する。
【００２１】
側方壁部２１には、壁部全体を外方に突設させると共に上下方向に延びる縦長凸部１３が周方向に間隔を置いて複数形成される。これら縦長凸部１３は、側方壁部２１の強度を上げるためのものである。
【００２２】
嵌合壁部２２は、側方壁部２１の上端全域から外方に略水平方向に延び、平面視略矩形状を呈する。該嵌合壁部２２には、壁部全体を所定幅で上方に突設するように設けた環状の嵌合凸部３０が形成される。
そして、図５に示すように、容器本体５の上端開口に支持体４を被せると、支持体４の嵌合壁部１４に設けた環状の嵌合凹部１７に容器本体５の嵌合壁部２２に設けた環状の嵌合凸部３０が嵌合して両者が結合される。
【００２３】
次に、本考案の実施の形態に係る鮮度保持容器１の作用を説明する。
図５に示すように、容器本体５に支持体４を嵌合して、支持体４の開口部３から水を所定量注ぎ込む。すると、図６に示すように、水の大半は容器本体５の底壁部２０に設けた水溜め用凹部２６内に溜まる。続いて、切り花２の茎部分を、支持体４の開口部３に、各スリット１８間の各折曲片１９を根元付近から下方に折り曲げるようにして挿入して、該茎部分の下部を水溜め用凹部２６内の水に浸漬させる。続いて、本鮮度保持容器１に切り花２を差し入れた状態（図６の状態）で、段ボール等の外箱（図示略）に収容して輸送することができる。
なお、本鮮度保持容器１を使用する際には、切り花２の茎部分の全体径を、支持体４の開口部３の径よりも大きく水平壁部７の外径よりも小さい範囲内で設定することが好ましい。
【００２４】
この結果、支持体４の水平壁部７（各折曲片１９）により、切り花２の茎部分を支持することができ、しかも、輸送中容器本体５内の水が支持体４の開口部３から外部に飛び跳ねることを抑制することができる。また、外箱が転倒した場合でも、図７に示すように、容器本体５内の大半の水は、立設壁部８の内側壁部９と外側壁部１０と上部壁部１１とで囲まれた空間３５に流れ込むので、開口部３からの水漏れを抑制することができる。さらに、水平壁部７は弾力性（クッション性）を有するので、切り花２の茎部分への損傷を抑制することができる。
【００２５】
以上説明したように、本考案の実施形態に係る鮮度保持容器１によれば、支持体４の水平壁部７に複数のスリット１８を設け、切り花２を水平壁部７の開口部３から差し入れる際には、各スリット１８間の各折曲片１９を下方に折り曲げながら差し入れる。これにより、切り花２の茎部分を、各折曲片１９により中心に向かって押圧して該茎部分を支持するので、輸送中の切り花２の揺れを抑制することが可能になる。また、水平壁部７には弾力性（クッション性）が備わっているので、輸送中に切り花２の茎部分に損傷を与えることがない。しかも、支持体４の立設壁部８は内側壁部９と外側壁部１０と上部壁部１１とからなる断面逆Ｕ字状に形成され、転倒時等には、容器本体５内の水は内側壁部９と外側壁部１０と上部壁部１１とで囲まれた空間３５に流れ込むので外部への水漏れを抑制することができる。
【００２６】
また、本考案の実施形態に係る鮮度保持容器１によれば、支持体４の水平壁部７が、立設壁部８を構成する外側壁部１０の下端（嵌合壁部１４の位置）よりも下方に突出し、かつ、立設壁部８を構成する内側壁部９が、上端から下方に向かって鉛直方向に対して内側に傾斜して形成されるので、立設壁部８を構成する内側壁部９と外側壁部１０と上部壁部１１とで囲まれた空間３５を最大限大きく設定することができる。この結果、転倒時等には、容器本体５内の大半の水が立設壁部８の内側壁部９と外側壁部１０と上部壁部１１とで囲まれた空間３５に流れ込むので外部への水漏れをさらに抑制することができる。
【００２７】
さらに、本考案の実施形態に係る鮮度保持容器１によれば、容器本体５の底壁部２０の略中央に水溜め用凹部２６を形成して、切り花２の茎部分を水溜め用凹部２６に溜まっている水に浸漬させるので、容器本体５内に充填する水の量を必要最低限に抑えることができる。また、立設壁部８は平面視略矩形状に形成されているので、転倒方向に関係なく水漏れに対処することができる。
【００２８】
このように、本考案の実施形態に係る鮮度保持容器１は、上述した構成を採用することで、必要最低限の水を収納でき、輸送中及び転倒時の水漏れを抑制することができるので、従来の鮮度保持容器よりも全高を大幅に低く形成することができ、材料費等のコストを大幅に削減することができる。
【符号の説明】
【００２９】
１  鮮度保持容器，２  切り花（園芸植物），３  開口部，４  支持体，５  容器本体，７  水平壁部，８  立設壁部，９  内側壁部，１０  外側壁部，１１  上部壁部，１８  スリット，１９  折曲片，２０  底壁部，２６  水溜め用凹部，３５  空間
【図１】
0003167701.tif 000003
【図２】
0003167701.tif 000004
【図３】
0003167701.tif 000005
【図４】
0003167701.tif 000006
【図５】
0003167701.tif 000007
【図６】
0003167701.tif 000008
【図７】
0003167701.tif 000009